(57)【要約】    【課題】  燃料電池の組み付けにおいて、組みつけ不良や破損及びそれらによって発生するガス漏れといった不具合の発生を適切に防止することができる燃料電池および燃料電池の積層方法を実現することを目的とする。    【解決手段】  端部プレートと、前記端部プレートに隣接するターミナルプレートと、前記端部プレートと前記ターミナルプレートとの間をシールするシール部材と、を備え、前記端部プレートまたは前記ターミナルプレートの少なくともいずれか一方に、前記端部プレートと前記ターミナルプレートとの位置関係を確認するための指標が設けられている。【選択図】    図２ 
2006040586.tif 000002
【特許請求の範囲】
【請求項１】
端部プレートと、前記端部プレートに隣接するターミナルプレートと、前記端部プレートと前記ターミナルプレートとの間をシールするシール部材と、を備え、
前記端部プレートまたは前記ターミナルプレートの少なくとも一方に、前記端部プレートと前記ターミナルプレートとの位置関係を確認するための指標が設けられている燃料電池。
【請求項２】
前記端部プレートは、前記端部プレートの前記ターミナルプレートに対向する面に前記ターミナルプレートを収容する収容部を備え、
前記収容部を画定する側壁に、前記指標が設けられている請求項１に記載の燃料電池。
【請求項３】
前記指標は、基準線と、前記収容部に収容された前記ターミナルプレートの稜線が見えるように形成された表示窓と、を備える請求項２に記載の燃料電池。
【請求項４】
前記収容部を画定する側壁は、４つの側壁から構成されてなり、
前記基準線及び前記表示窓は、前記４つの側壁のうち少なくとも短辺側の１つの側壁に設けられている請求項３に記載の燃料電池。
【請求項５】
エンドプレート、インシュレータ、ターミナルプレートの順に積層され、前記インシュレータと前記ターミナルプレートとの間をシールするシール部材を備える燃料電池であって、
前記エンドプレートは、前記ターミナルプレートが備える出力端子に対応する位置に、前記インシュレータと前記出力端子とを留め具によって仮留めした際に前記留め具が干渉しないように後退している逃げ部が設けられている燃料電池。
【請求項６】
端部プレートと、前記端部プレートに隣接するターミナルプレートと、前記端部プレートと前記ターミナルプレートとの間をシールするシール部材と、を備える燃料電池の積層方法であって、
前記端部プレートと前記ターミナルプレートとの間に前記シール部材を配置して積層する工程と、
前記端部プレートと前記ターミナルプレートが所定の位置関係となるように前記端部プレートと前記ターミナルプレートを仮留めする工程と、
前記ターミナルプレートにおいて前記端部プレートの反対側に単セルを複数積層する工程と、
前記積層された端部プレート、ターミナルプレート及び単セルを締結する工程と、
前記仮留めを解除する工程と、
を備える燃料電池の積層方法。
【請求項７】
端部プレートと、前記端部プレートに隣接するターミナルプレートと、前記端部プレートと前記ターミナルプレートとの間をシールするシール部材と、を備え、前記端部プレートまたは前記ターミナルプレートの少なくとも一方に、前記端部プレートと前記ターミナルプレートとの位置関係を確認するための指標が設けられている燃料電池の積層方法であって、
前記端部プレート、前記ターミナルプレート、単セル、の順に積層する工程と、
前記指標に基づいて前記ターミナルと前記端部プレートが平行関係にあるか否かを確認する工程と、
前記ターミナルと前記端部プレートが平行関係にある場合に、前記積層された端部プレート、ターミナルプレート及び単セルを締結する工程と、
を備える燃料電池の積層方法。
【発明の詳細な説明】
【技術分野】
【０００１】
本発明は、燃料電池及び燃料電池の積層方法に関し、詳しくは、端部プレート、ターミナルプレート、単セルの順に積層され、端部プレートとターミナルプレートとの間にシール材が配置された燃料電池及び燃料電池の積層方法に関する。
【背景技術】
【０００２】
従来、固体高分子電解質型燃料電池は、イオン交換膜からなる電解質膜とこの電解質膜の一面に配置された触媒層および拡散層からなる電極（アノード、燃料極）および電解質膜の他面に配置された触媒層および拡散層からなる電極（カソード、空気極）とからなる膜−電極アッセンブリ（ＭＥＡ：Membrane-Electrode Assembly ）と、アノード、カソードに燃料ガスや酸化ガスを供給するための流路を形成するセパレータとから単セルを構成し、複数の単セルを積層してセル積層体としてのスタックを構成し、このスタックのセル積層方向両端に、ターミナルプレート、絶縁プレート、エンドプレートを順に配置し、これらをセル積層方向に延びる締結部材（たとえば、テンションプレート）にて締め付け、固定したものが知られている（例えば、特許文献１参照。）。
【特許文献１】特開２００２−３６７６６４号公報
【特許文献２】特開２００２−３４３４０９号公報
【特許文献３】特開２００２−３４３４０６号公報
【特許文献４】特開２００２−３４６８６９号公報
【発明の開示】
【発明が解決しようとする課題】
【０００３】
このような従来の燃料電池では、ターミナルプレート、絶縁プレート、エンドプレートのマニホールドを介して、スタック本体内の流路にガス（燃料ガス、酸化ガス）や冷却水などの流体を供給または排出する。
【０００４】
そのため、各プレートのマニホールド接続部位にはシール性を確保するためにシール部材を設ける必要があるものの、燃料電池の組付け時には、かかるシール部材の弾性によって各プレートの位置関係にばらつき（いわゆる、倒れ込み）が生じるおそれがあるとともに、各プレートの位置関係がばらついた状態で、これらを締結してしまうと、組み付け不良や破損及びそれらによって発生するガス漏れという不具合が生じるおそれがあった。また、そのために、燃料電池の組み付け作業は慎重に行わなければならず、作業が煩雑であった。
【０００５】
そこで、本発明は、燃料電池の組み付けにおいて、組みつけ不良やガス漏れといった不具合の発生を適切に防止することができる燃料電池および燃料電池の積層方法を実現することを目的とする。
【課題を解決するための手段】
【０００６】
本発明に係る燃料電池は、端部プレートと、前記端部プレートに隣接するターミナルプレートと、前記端部プレートと前記ターミナルプレートとの間をシールするシール部材と、を備え、前記端部プレートまたは前記ターミナルプレートの少なくとも一方に、前記端部プレートと前記ターミナルプレートとの位置関係を確認するための指標が設けられている。
【０００７】
この構成によれば、端部プレートまたはターミナルプレートの少なくとも一方に設けられた指標によって、端部プレートとターミナルプレートの位置関係（例えば、平行関係）、つまり、ターミナルプレートが予め定めた位置に配置されているか否かを確認することができるようになるので、ターミナルプレートが倒れこんだ状態で各プレートが締結されてしまうことを未然に防止することができるとともに、組み付け不良や破損及びそれらによって発生するガス漏れという不具合を適切に防止することができるようになる。
【０００８】
また、前記端部プレートは、前記端部プレートの前記ターミナルプレートに対向する面に前記ターミナルプレートを収容する収容部を備え、前記収容部を画定する側壁に、前記指標が設けられていてもよい。
【０００９】
この構成によれば、ターミナルプレートが端部プレートに収容される場合であっても、収容部を画定する側壁に設けられた指標によって、端部プレートとターミナルプレートの位置関係を確認することができるようになる。
【００１０】
また、前記指標は、基準線と、前記収容部に収容された前記ターミナルプレートの稜線が見えるように形成された表示窓と、を備えていてもよい。
【００１１】
この構成によれば、ターミナルプレートが端部プレートに収容される場合であっても、表示窓から見えるターミナルプレートの稜線と側壁に設けられた基準線とに基づいて、端部プレートとターミナルプレートの位置関係、つまり、ターミナルプレートが予め定められた位置に配置されているか否かを確認することができるようになる。
【００１２】
また、前記収容部を画定する側壁は、４つの側壁から構成されてなり、前記基準線及び前記表示窓は、前記４つの側壁のうち少なくとも短辺側の１つの側壁に設けられていてもよい。
【００１３】
この構成によれば、表示窓が短辺側の１つの側壁に設けられているので、長辺側を底部として端部プレートを積層した場合に、端部プレートとターミナルプレートの平行関係を容易に確認することができるようになる。
【００１４】
また、本発明の燃料電池は、エンドプレート、インシュレータ、ターミナルプレートの順に積層され、前記インシュレータと前記ターミナルプレートとの間をシールするシール部材を備える燃料電池であって、前記エンドプレートは、前記ターミナルプレートが備える出力端子に対応する位置に、前記インシュレータと前記出力端子とを留め具によって仮留めした際に前記留め具が干渉しないように後退している逃げ部が設けられている。
【００１５】
この構成によれば、エンドプレートに留め具が干渉することなくインシュレータと出力端子とを仮留めすることができるとともに、インシュレータとターミナルプレートを仮留めする際の留め具のサイズを小さくすることができる。また、エンドプレートの剛性を維持しつつ軽量化を図ることが可能になる。
【００１６】
また、本発明は、端部プレートと、前記端部プレートに隣接するターミナルプレートと、前記端部プレートと前記ターミナルプレートとの間をシールするシール部材と、を備える燃料電池の積層方法であって、前記端部プレートと前記ターミナルプレートとの間に前記シール部材を配置して積層する工程と、前記端部プレートと前記ターミナルプレートが所定の位置関係となるように前記端部プレートと前記ターミナルプレートを仮留めする工程と、前記ターミナルプレートにおいて前記端部プレートの反対側に単セルを複数積層する工程と、前記積層された端部プレート、ターミナルプレート及び単セルを締結する工程と、前記仮留めを解除する工程と、を備える。
【００１７】
この構成によれば、端部プレートとターミナルプレートとの間にシール部材を配置して積層した後であって単セルを複数積層する前に端部プレートとターミナルプレートを仮留めするとともに、積層された端部プレート、ターミナルプレート及び単セルを締結した後に当該仮留めを解除しているので、積層中に端部プレートとターミナルプレートの位置関係がずれることを防止することができるようになる。これにより、組みつけ不良や破損及びそれらによって発生するガス漏れといった不具合を適切に防止することができるようになる。
【００１８】
また、本発明は、端部プレートと、前記端部プレートに隣接するターミナルプレートと、前記端部プレートと前記ターミナルプレートとの間をシールするシール部材と、を備え、前記端部プレートまたは前記ターミナルプレートの少なくとも一方に、前記端部プレートと前記ターミナルプレートとの位置関係を確認するための指標が設けられている燃料電池の積層方法であって、前記端部プレート、前記ターミナルプレート、単セル、の順に積層する工程と、前記指標に基づいて前記ターミナルと前記端部プレートが平行関係にあるか否かを確認する工程と、前記ターミナルと前記端部プレートが平行関係にある場合に、前記積層された端部プレート、ターミナルプレート及び単セルを締結する工程と、を備える。
【００１９】
この構成によれば、端部プレートとターミナルプレートの平行関係を確認してからプレートやセルを締結しているので、端部プレートとターミナルプレートの位置関係がずれたまま（倒れこみが発生した状態で）締結されてしまうことを未然に防止することができるようになる。また、これにより、組みつけ不良や破損及びそれらによって発生するガス漏れといった不具合を適切に防止することができるようになる。
【発明の効果】
【００２０】
本発明によれば、燃料電池の組み付けにおいて、組みつけ不良や破損及びそれらによって発生するガス漏れといった不具合の発生を適切に防止することができる燃料電池及び燃料電池の積層方法を実現することを目的とすることが可能になる。
【発明を実施するための最良の形態】
【００２１】
以下、添付図面を参照して、本発明の好適な実施形態に係る燃料電池について説明する。本燃料電池は、燃料電池のスタック端部に配置されるプレートの構造や、燃料電池の積層工程を工夫することで、組み付け不良や破損及びそれらによって発生するガス漏れといった不具合の発生防止を図るものである。以下では、燃料電池車両に好適な固体高分子型の燃料電池を例に説明する。
【００２２】
（燃料電池の構成）
図１は、本実施形態に係る燃料電池の要部を裁断して示す断面図である。同図に示すように、固体高分子型の燃料電池１は、基本単位である多数の単セル２を積層したスタック本体３を備えている。燃料電池１は、スタック本体３の両端に位置する単セル２の外側に、順次、ターミナルプレート４、インシュレータ（絶縁プレート）５、エンドプレート６を積層して構成されている。インシュレータ５とエンドプレート６は、端部プレートを構成する。なお、図１では、スタック本体３の一方の端部の構成について図示し、他方の端部の構成については図示省略している。
【００２３】
燃料電池１は、図示省略するが、両エンドプレート６間を架け渡すように設けられたテンションプレートが、各エンドプレート６にボルトで締結されることで固定され、これによりセル積層方向に所定の圧縮力がかかった状態となる。
【００２４】
単セル２は、いずれも図示省略するが、イオン交換膜からなる電解質膜およびこれを両面から挟んだ一対の電極からなるＭＥＡ（Membrane Electrode Assembly）と、ＭＥＡを外側から挟持する一対のセパレータと、で構成されている。各セパレータは、基材をカーボンまたはメタルにより形成されて導電性を有している。各セパレータは、各電極に酸化ガス（酸素ガス、通常は空気）または燃料ガス（水素ガス）を供給するための流体流路を有している。このような構成により、単セル２のＭＥＡ内による電気化学反応が生じて、起電力が得られる。
【００２５】
燃料電池１内には、燃料ガスマニホールド２０、酸化ガスマニホールド２０、および冷媒マニホールド２０がセル積層方向に貫通形成されている（実際には、これらは別体であるが同一符号を付して説明を省略している。）。これら各流体流路用のマニホールド２０は、エンドプレート６、インシュレータ５、ターミナルプレート４、および各単セル２のセパレータをセル積層方向に貫通することで燃料電池１内に形成されている。各流体（燃料ガス、酸化ガス、冷媒）は、燃料電池１の一端にあるエンドプレート６に設けた各流体配管（図示せず）から入口側の各マニホールド２０ａに供給され、セパレータに形成した各流体流路を流れる。そして最終的に、各流体は、出口側の各マニホールド２０ｂからエンドプレート６に設けた各流体配管へと排出される。
【００２６】
ターミナルプレート４は、出力端子４１を備え、スタック３の最も外側位置にある単セル２（のセパレータ）とインシュレータ５との間に設けられている。ターミナルプレート４は、各種の金属で形成することができるが、本実施形態では銅を用いて板状に形成されている。燃料電池１の各単セル２で発生した電気は、ターミナルプレート４に集電され、出力端子４１により取り出される。
【００２７】
インシュレータ５は、ポリカーボネートなどの樹脂材料より板状に形成されている。インシュレータ５には、マニホールド２０に臨む部分にシール部材７が接着剤により固定されている。シール部材７は、全体として環状に一体形成され、インシュレータ５とターミナルプレート４との間をシールする。シール部材７は、シリコンゴム、ブチルゴム、ＥＰＤＭ、クロロゴム、ニトリルゴムなどの材料を含有した弾性を有するゴム状部材を適用することができる。
【００２８】
図２は、インシュレータ５にターミナルプレート４を組み付けた様子をターミナルプレート側から示す外観斜視図である。インシュレータ５は、インシュレータ５のターミナルプレート４に対向する位置にターミナルプレート４を収容する収容部５１と、収容部５１を画定する側壁５２と、を備える。
【００２９】
収容部５１は、ターミナルプレート４の形状にあわせて矩形形状に形成されている。収容部５２の深さは、ターミナルプレート４を部分的に収容できる深さがあればよく、ターミナルプレート４の厚みと同等にすることでターミナルプレート４全体を収容するように構成してもよいし、ターミナルプレート４の厚みより小さくすることでターミナルプレート４を部分的に収容する構成としてもよい。
【００３０】
本実施形態では、このように、ターミナルプレート４をインシュレータ５の収容部５１に収容させることで、例えば燃料電池１を搭載した車両の衝突時などにおいてターミナルプレート４とインシュレータ５の位置関係がずれることを防止している。
【００３１】
収容部５１から立設する側壁５２は、４つの側壁から構成されてなり、収容部５１に収容されたターミナルプレート４の稜線（ターミナルプレートの形状を画定する線）が見えるように形成された表示窓（表示部）５３と、インシュレータ５とターミナルプレート４との位置関係を確認するための基準線（罫書き線）５４と、ターミナルプレート４の出力端子４１に対応した切り欠け部５５と、が設けられている。表示窓５３と基準線５４は、インシュレータ５とターミナルプレート４との位置関係を確認するための指標を構成し、これらの配置箇所は、任意に設定することができる。側壁５２が４つの側壁から構成されている場合には、少なくとも１つの側壁に設けることができるが、本実施形態では、短辺側の１側面に基準線５４と表示窓５３を設ける場合について説明する。
【００３２】
図３は、表示窓５３と基準線５４の部分を拡大して示す部分拡大図である。図３に示すように、表示窓５３は、側壁５２の一部を切り欠いて形成された開口部である。表示窓５３は、収容部５１に収容されたターミナルプレート４の稜線４２と、収容部５１内の空間５１ａが見えるように形成されている。図３の場合、稜線は、収容部５１に収容されたターミナルプレート４の側面の一辺のことである。なお、表示窓５３は、稜線が見えるように形成されていればよく、図３に示す台形形状のほか、例えば楕円形に形成されていてもよい。
【００３３】
一方、基準線５４は、積層方向と直交する線によって形成され、表示窓５３を挟むように側壁５２上に設けられている。基準線５４は、当該基準線５４と表示窓５３から見えるターミナルプレート４の稜線４との平行関係を容易に判断することができるように形成されることが望ましい。図３では、表示窓５３を挟んで分割された２つの線によって基準線５４を形成しているが、連続する１つの線によって形成してもよい。
【００３４】
かかる構成によれば、表示窓５３から収容部５１に収容されたターミナルプレート４の稜線４を見ることができるとともに、当該稜線４と側壁５２に形成された基準線５４とに基づいて、ターミナルプレート４がインシュレータ５に対して平行となるように配置されているか否かを確認することができる。よって、インシュレータ４にターミナルプレート４を組み付けた後において、両者の位置関係にずれが生じたような場合であっても、適切にこれを発見することができるようになる。
【００３５】
次に、図４を用いて、エンドプレート６の構成について説明する。図４は、エンドプレート６、インシュレータ５、ターミナルプレート４を組み付けた様子をエンドプレート６側から示す外観斜視図である。
【００３６】
エンドプレート６は、鉄、ステンレス、銅、アルミニウムなどの金属で板状に形成されている。本実施形態に係るエンドプレート６は、ターミナルプレート４が備える出力端子４１に対応する位置に、インシュレータ５と出力端子４１とを、クランプなどの留め具によって仮留めした際に、当該留め具が干渉しないように後退している逃げ部６１が設けられていることを特徴とする。逃げ部６１は、ターミナルプレート４１の出力端子４１に対応する位置を切り欠くことによって形成されている。
【００３７】
このように構成することで、インシュレータ４とターミナルプレート５を仮留めする際の留め具のサイズを小さくすることができるとともに、エンドプレート６の剛性を維持しつつ軽量化を図ることが可能になる。
【００３８】
（燃料電池の積層工程）
次に、このように構成されたエンドプレート６、インシュレータ５、ターミナルプレート４を燃料電池１として積層する際の工程について、図５を用いて説明する。図５は、燃料電池の積層工程を示すフローチャートである。なお、各工程（符号が付与されていない部分的な工程を含む）は処理内容に矛盾を生じない範囲で任意に順番を変更して又は並列に実行することができる。
【００３９】
まず、エンドプレート６を設置し（Ｓ１）、順に、インシュレータ５（Ｓ２）、ターミナルプレート４（Ｓ３）、を積層する。
【００４０】
ターミナルプレート４を積層すると、インシュレータ５とターミナルプレート４の出力端子４１とを所定の留め具によって仮留めする（Ｓ４）。仮留めの際には、表示窓５３からターミナルプレート４の稜線４を確認し、当該稜線４が側壁５２に形成された基準線５４に対して平行であるか否かを確認しながら行うことが望ましい。
【００４１】
Ｓ４の仮留め工程を終えると、続いてターミナルプレート４側に単セル２を複数積層する（Ｓ５）。そして、全ての単セル２を積層し終えると、これらを締結する前に、表示窓５３からターミナルプレート４の稜線４を確認し、当該稜線４が側壁５２に形成された基準線５４に対して平行であるか否かを確認する（Ｓ６）。
【００４２】
そして、両者の位置関係が平行であると確認された場合には（Ｓ６のＹｅｓ）、倒れこみなどが発生していない状態であるから、例えばテンションプレートによって各プレートを締結する（Ｓ７）。これにより、図６に示すように、燃料電池１は、セル積層方向に所定の圧縮力がかかった状態で固定される。そして、Ｓ７の締結工程を終えると、仮留めを解除する（Ｓ８）。
【００４３】
一方、両者の位置関係が平行でない場合には（Ｓ６のＮｏ）、倒れこみなどが発生している状態であるから、締結を行わないで、組み付けをやり直す。つまり、単セル２を取り外し（Ｓ９）、ターミナルプレート４とインシュレータ５の仮留めを解除する（Ｓ１０）。そして、Ｓ３に戻って、ターミナルプレート４とインシュレータ５とが平行関係になるようにターミナルプレート４の配置を修正し、表示窓５３から見える稜線４が側壁５２に形成された基準線５４に対して平行であるか否かを確認しながら、ターミナルプレート４とインシュレータ５とを仮留めし（Ｓ４）、ターミナルプレート４とインシュレータ５の位置関係が平行に維持された状態で締結されるまで、上述した工程を繰り返す。そして、最終的に、上記のように、燃料電池１は、セル積層方向に所定の圧縮力がかかった状態となって、燃料電池車両等の燃料電池システムに搭載される。
【００４４】
以上の工程によれば、インシュレータ５側にターミナルプレート４を積層した後であってターミナルプレート４側に単セル２を複数積層する前に、インシュレータ５とターミナルプレート４を仮留めするとともに、積層された、インシュレータ５、ターミナルプレート４及び単セル２を締結した後に、当該仮留めを解除しているので、積層中にインシュレータ５とターミナルプレート４の位置関係がずれることを防止することができるようになる。これにより、組みつけ不良や破損及びそれらによって発生するガス漏れといった不具合を適切に防止することができるようになる。
【００４５】
また、以上の工程によれば、インシュレータ５とターミナルプレート４の平行関係を確認してからプレートやセルを締結しているので、インシュレータ５とターミナルプレート４の位置関係がずれたまま（倒れこみが発生した状態で）締結されてしまうことを未然に防止することができるようになる。また、これにより、組みつけ不良や破損及びそれらによって発生するガス漏れといった不具合を適切に防止することができるようになる。
【００４６】
なお、本明細書において、端部プレートとターミナルプレートとの位置関係とは、互いのプレートの相対的な位置関係を意味し、端部プレートとターミナルプレートとの位置関係を確認することは、互いのプレートの３次元的な位置関係が予め定めた関係にあるか否かを確認することを意味する。上記実施例では、両プレートの位置関係をプレート面が互いに平行である関係と定めているが、本発明はこれに限定されない。両プレートの位置関係は予め定められた位置関係であればよく、本発明に係る指標は、両プレートの距離と両プレートの傾斜角度の関係の少なくとも一方が、予め定めた関係であるか否かを確認できるような機能を有するものとする。
（その他）
以上、好適な実施の形態を用いて本発明を説明してきたが、本発明は上記の実施の形態に限定されるものではない。上記実施形態は本発明を説明するための例示であり、本発明をこれに限定するものではく、当業者は、その要旨を逸脱しない限り各種構成部品や工程を適宜設計することができる。
【００４７】
（１）例えば、上記実施形態では、インシュレータ５に、ターミナルプレート４を収容する収容部５１を設ける場合について説明したが、本発明は、収容部５１を備えていないインシュレータ５にも適用することができる。また、上記実施形態では、インシュレータ５側に指標（基準線５４）を設ける場合について説明したが、指標は、ターミナルプレート４とインシュレータ５の少なくともいずれか一方に設けてあればよく、ターミナルプレート４側、もしくはターミナルプレート４とインシュレータ５の双方に設けるようにしてもよい。
【００４８】
（２）また、上記実施形態では、インシュレータ５とターミナルプレート４との位置関係を確認するための指標の一例として基準線を用いて説明したが、指標は、これに限られず、他のものも適宜使用することができる。例えば、ターミナルプレート４の表示窓５３に対応する位置に凸部を設け、これにより両者の位置関係を確認するようにしてもよい。
【００４９】
（３）また、上記実施形態における燃料電池の積層工程では、Ｓ６で両者の位置関係が平行でない場合には、単セル２を取り外して組み付けをやり直す場合について説明したが、単セル２を取り外さずに（単セル２を積層した状態で）組み付けをやり直すように構成することもできる。例えば、表示窓５３から見える稜線４が側壁５２に形成された指標５４に対して平行となるように確認しながら、ターミナルプレート４の出力端子４１を操作して、ターミナルプレート４の配置を修正する。そして、ターミナルプレート４とインシュレータ５とを仮留めする。以降、ターミナルプレート４とインシュレータ５の位置関係が平行に維持された状態で締結されるまで、上述した工程を繰り返す。
【図面の簡単な説明】
【００５０】
【図１】本実施形態に係る燃料電池１の要部を裁断して示す断面図である。
【図２】インシュレータ５にターミナルプレート４を組み付けた様子を示す外観斜視図である。
【図３】表示窓５３と基準線５４の部分を拡大して示す部分拡大図である。
【図４】エンドプレート６、インシュレータ５、ターミナルプレート４を組み付けた様子を示す外観斜視図である。
【図５】燃料電池１の積層工程を示すフローチャートである。
【図６】積層された燃料電池１の外観を示す外観斜視図である。
【符号の説明】
【００５１】
１  燃料電池、２  単セル、３  スタック、４  ターミナルプレート、５  インシュレータ（絶縁プレート）、６  エンドプレート、７  シール部材、２０  マニホールド、４１  出力端子、４２  稜線、５１  収容部、５２  側壁、５３  表示窓、５４  基準線、５５  切り欠け部、６１  逃げ部
【図１】
2006040586.tif 000003
【図２】
2006040586.tif 000004
【図３】
2006040586.tif 000005
【図４】
2006040586.tif 000006
【図５】
2006040586.tif 000007
【図６】
2006040586.tif 000008